(57)【要約】【課題】洗濯物を洗濯槽内に都度投入し、洗濯が行われるまでの間に溜まった洗濯槽内の洗濯物の除菌、消臭が行えるようにする。【解決手段】水槽２内に回転可能に設けられた洗濯槽３と、洗濯槽３を回転駆動するモータ７と、ラジカルやオゾン等の活性酸素を発生させる活性酸素発生手段１８と、洗濯槽３内に洗濯物を出し入れする開閉自在な扉５と、扉５の開閉を検知する扉開閉検知手段１３と、洗濯槽３内の洗濯物の有無を検知する衣類検知手段１５と、制御手段１４とを備え、制御手段１４は、運転の停止時に、扉開閉検知手段１３の出力に基づいて衣類検知手段１５により洗濯物の有無を検知し、洗濯槽３内に洗濯物が投入されていることを検知すると、洗濯の開始操作が行われるまでの間に活性酸素発生手段１８で発生した活性酸素を洗濯槽３内へ供給するようにしたものである。【選択図】図１
2016137034.tif 000002
【特許請求の範囲】
【請求項１】
水槽内に回転可能に設けられた洗濯槽と、
前記洗濯槽を回転駆動するモータと、
ラジカルを含む活性酸素を発生させる活性酸素発生手段と、
前記洗濯槽内に洗濯物を出し入れする開閉自在な扉と、
前記扉の開閉を検知する扉開閉検知手段と、
前記洗濯槽内の洗濯物の有無を検知する衣類検知手段と、
洗い、すすぎ、脱水等の各工程を制御する制御手段とを備え、
前記制御手段は、
運転の停止時に、前記扉開閉検知手段の出力に基づいて前記衣類検知手段により洗濯物の有無を検知し、前記洗濯槽内に洗濯物が投入されていることを検知すると、洗濯の開始操作が行われるまでの間に前記活性酸素発生手段を動作させて活性酸素を前記洗濯槽内へ供給するようにした
洗濯機。
【請求項２】
前記扉開閉検知手段により前記扉の開閉を検知すると計時を開始するタイマ手段を有し、
前記制御手段は、
前記タイマ手段によって所定時間を計時すると、前記衣類検知手段により洗濯物の有無を検知するようにした
請求項１記載の洗濯機。
【請求項３】
前記制御手段は、
前記タイマ手段によって所定時間を計時する前に洗濯の開始操作が行われると、設定された洗濯運転を実行するようにした
請求項２記載の洗濯機。
【請求項４】
前記制御手段は、
前記洗濯槽内の活性酸素濃度が所定の値を維持するように、活性酸素を前記洗濯槽内へ間欠的に供給するようにした
請求項１〜３のいずれか１項に記載の洗濯機。
【請求項５】
前記活性酸素発生手段で発生した活性酸素を前記洗濯槽内へ導入する導入路と、
前記導入路を通して前記洗濯槽内へ送風する送風手段を有し、
前記導入路に前記活性酸素発生手段を設けた
請求項１〜４のいずれか１項に記載の洗濯機。
【請求項６】
前記洗濯槽内へ送風する空気の除湿を行う除湿手段を有し、
前記制御手段は、
前記除湿手段および前記送風手段を駆動し、前記洗濯槽内の除湿を行った後、活性酸素を前記洗濯槽内へ供給するようにした
請求項１〜５のいずれか１項に記載の洗濯機。
【請求項７】
前記洗濯槽内の湿度を検知する湿度検知手段を有し、
前記制御手段は、
前記湿度検知手段で検知した湿度が所定値以上であるとき、前記除湿手段および前記送風手段を駆動し、前記洗濯槽内の湿度が所定値以下になると、活性酸素を前記洗濯槽内へ供給するようにした
請求項６記載の洗濯機。
【請求項８】
前記衣類検知手段は、前記水槽の振動を検知する振動検知手段で構成し、
前記制御手段は、
前記洗濯槽を回転させたときの振動量から洗濯物の有無を検知するようにした
請求項１〜７のいずれか１項に記載の洗濯機。
【請求項９】
運転の停止中に、前記制御手段を駆動する蓄電部を有し、
前記蓄電部は、活性酸素を前記洗濯槽内へ供給するための電源とし、
洗濯の開始操作が行われると商用電源に切り換わるようにした
請求項１〜８のいずれか１項に記載の洗濯機。
【請求項１０】
前記制御手段は、
商用電源による運転中に前記蓄電部に蓄電するようにした
請求項９記載の洗濯機。
【発明の詳細な説明】
【技術分野】
【０００１】
本発明は、衣類等の洗濯物を洗う洗濯機に関するものである。
【背景技術】
【０００２】
一般的に、洗濯機で洗った衣類等の洗濯物の部屋干し時、あるいは、乾燥後の使用時に不快臭を感じることが知られている。この不快臭の原因は、洗濯物に付着した菌の洗い流し不足や、洗剤によって洗い流された菌の他の洗濯物への再付着、あるいは、洗濯機に生息していた菌の洗濯物への付着等によって、洗った洗濯物に残る菌が同様に洗濯物に残った汚れ物質を栄養成分とした代謝物を生成することによるものである。
【０００３】
そこで、前記不快臭をなくすために、洗濯物や洗濯槽の除菌、脱臭、有機物の汚れ分解を行うことが考えられている（例えば、特許文献１参照）。前記特許文献１に記載された洗濯機は、水に高電圧を印加してＯＨラジカルを空気中に発生させ、発生したＯＨラジカルを洗濯槽内へ供給するようにしたものであり、最終脱水工程の後、または、洗濯運転の開始操作を行ったスタート後の、洗い工程の前に除菌、脱臭工程を実行するようにしたものである。
【０００４】
また、予約運転待機状態の洗濯槽内を除菌、消臭することが考えられている（例えば、特許文献２参照）。前記特許文献２に記載された洗濯機は、予約運転機能を備えたものであり、予約運転機能とは、予め洗濯物を洗濯槽に投入しておき、設定時刻から運転を開始、または、設定時刻に運転を終了するのが一般的である。蓋で閉じられた待機中の洗濯槽内は、汚れた洗濯物や、使用後のタオル等の湿った洗濯物が投入されており、湿気が多く不快臭が発生しやすいため、洗濯槽内に除菌、消臭作用を有するイオンを送風するようにしたものである。
【先行技術文献】
【特許文献】
【０００５】
【特許文献１】特開２００５−１９２９０１号公報
【特許文献２】特開２０１１−８７６９７号公報
【発明の概要】
【発明が解決しようとする課題】
【０００６】
しかしながら、前記特許文献２に記載された従来の構成では、使用者が予約運転を設定することで、予約運転待機時に除菌、消臭が行われるものであり、洗濯機に汚れた洗濯物や、使用後のタオル等を投入するだけでは、洗濯物を除菌、消臭することができないという問題があった。
【０００７】
すなわち、洗濯機に汚れた洗濯物や、使用後のタオル等を都度投入し、洗濯物が溜まるまで洗濯槽を洗濯かご代わりに使用する場合がある。例えば、単身者で一日の洗濯物の量が少なく、洗濯かごを置く場所がない場合は、洗濯物がある程度溜まるまで洗濯槽に都度投入して一時保管し、洗濯物の溜まり具合に応じて数日分まとめて洗濯することになる。また、雨天等、天候によって洗濯を延期することもある等、予約運転と異なり洗濯が行われる時期が特定されないため、洗濯が行われるまで洗濯槽内に保管される期間は不定である。
【０００８】
この場合、洗濯槽内の洗濯物が徐々に多くなり、洗濯が行われるまでの一時保管中は、汚れた洗濯物や、使用後のタオル、さらには、汗や雨で濡れた洗濯物等で湿気が多く、不快臭が発生するという問題があった。
【０００９】
本発明は、前記従来の課題を解決するもので、洗濯物を洗濯槽内に都度投入し、洗濯が行われるまでの間に溜まった洗濯槽内の洗濯物の除菌、消臭が行えるようにした洗濯機を提供することを目的とする。
【課題を解決するための手段】
【００１０】
前記従来の課題を解決するために、本発明の洗濯機は、水槽内に回転可能に設けられた洗濯槽と、前記洗濯槽を回転駆動するモータと、ラジカルを含む活性酸素を発生させる活性酸素発生手段と、前記洗濯槽内に洗濯物を出し入れする開閉自在な扉と、前記扉の開閉を検知する扉開閉検知手段と、前記洗濯槽内の洗濯物の有無を検知する衣類検知手段と、洗い、すすぎ、脱水等の各工程を制御する制御手段とを備え、前記制御手段は、運転の停止時に、前記扉開閉検知手段の出力に基づいて前記衣類検知手段により洗濯物の有無を検知し、前記洗濯槽内に洗濯物が投入されていることを検知すると、洗濯の開始操作が行われるまでの間に前記活性酸素発生手段を動作させて活性酸素を前記洗濯槽内へ供給するようにしたものである。
【００１１】
これによって、洗濯物を洗濯槽内に都度投入し、洗濯が行われるまでの間に溜まった洗濯物の除菌、消臭を行うことができ、洗濯物の追加投入時や、洗濯時に洗剤を投入する時に扉を開いた際の不快臭を防止することができるとともに、洗濯前に洗濯物の除菌を行うことによって洗った後の洗濯物に残る菌を少なくすることができ、洗濯物の部屋干し時や乾燥後の使用時における不快臭を抑制することができる。
【発明の効果】
【００１２】
本発明の洗濯機は、洗濯が行われるまでの間に洗濯槽内に溜まった洗濯物の除菌、消臭を行うことができ、不快臭の発生を抑制することができる。
【図面の簡単な説明】
【００１３】
【図１】本発明の実施の形態１における洗濯機の概略構成図
【図２】同洗濯機の活性酸素発生手段およびオゾン分解手段の概略構成図
【図３】同洗濯機のブロック構成図
【図４】同洗濯機のラジカル成分量とオゾン成分量の関係を示したグラフ
【図５】同洗濯機の洗濯物の保管時の動作を示したタイムチャート
【図６】同洗濯機の活性酸素を供給するまでの動作を示したフローチャート
【図７】本発明の実施の形態２における洗濯機の概略構成図
【図８】同洗濯機のブロック構成図
【図９】本発明の実施の形態３における洗濯機のシステム構成図
【図１０】同洗濯機のブロック構成図
【図１１】同洗濯機の洗濯物の保管時の動作を示したタイムチャート
【図１２】同洗濯機の他の例の洗濯物の保管時の動作を示したタイムチャート
【発明を実施するための形態】
【００１４】
第１の発明は、水槽内に回転可能に設けられた洗濯槽と、前記洗濯槽を回転駆動するモータと、ラジカルを含む活性酸素を発生させる活性酸素発生手段と、前記洗濯槽内に洗濯物を出し入れする開閉自在な扉と、前記扉の開閉を検知する扉開閉検知手段と、前記洗濯槽内の洗濯物の有無を検知する衣類検知手段と、洗い、すすぎ、脱水等の各工程を制御する制御手段とを備え、前記制御手段は、運転の停止時に、前記扉開閉検知手段の出力に基づいて前記衣類検知手段により洗濯物の有無を検知し、前記洗濯槽内に洗濯物が投入されていることを検知すると、洗濯の開始操作が行われるまでの間に前記活性酸素発生手段を動作させて活性酸素を前記洗濯槽内へ供給するようにしたことにより、運転を停止している不作動の洗濯機に洗濯物を都度投入し、洗濯槽を洗濯かご代わりに使用した場合においても、洗濯機の運転操作を行うことなく、洗濯物が投入されていることを検知して溜まった洗濯物の除菌、消臭を行うことができ、洗濯が行われるまでの不特定な期間に溜まる洗濯物を衛生的に保管することができる。また、洗濯物の追加投入時や、洗濯時に洗剤を投入する時に扉を開いた際の不快臭を防止することができるとともに、洗濯を行う前に洗濯物の除菌を行うことによって、洗った洗濯物に残る菌を少なくすることができ、洗濯物の部屋干し時や乾燥後の使用時における不快臭を抑制することができる。
【００１５】
第２の発明は、特に、第１の発明において、前記扉開閉検知手段により前記扉の開閉を検知すると計時を開始するタイマ手段を有し、前記制御手段は、前記タイマ手段によって所定時間を計時すると、前記衣類検知手段により洗濯物の有無を検知するようにしたことにより、洗濯槽内に洗濯物が投入されて保管されている状態であることを確認して除菌、消臭を行うことができ、扉の開閉だけが行われた場合は、除菌、消臭が行われないようにすることができる。また、通常の洗濯は、扉の開閉動作に続いて洗濯物を投入してから比較的短時間で洗濯の開始操作が行われるため、通常の洗濯と保管状態を的確に識別することができる。
【００１６】
第３の発明は、特に、第２の発明において、前記制御手段は、前記タイマ手段によって所定時間を計時する前に洗濯の開始操作が行われると、設定された洗濯運転を実行するようにしたことにより、洗濯物を投入してから直ぐに洗濯を行う場合や、予約運転を行うような場合は、除菌、消臭が行われないようにすることができる。
【００１７】
第４の発明は、特に、第１〜第３のいずれか１つの発明において、前記制御手段は、前記洗濯槽内の活性酸素濃度が所定の値を維持するように、活性酸素を前記洗濯槽内へ間欠的に供給するようにしたことにより、洗濯槽内において除菌、消臭効果が発現される所定の状態を維持しながら、洗濯槽内に投入された洗濯物を効率的に除菌、消臭することができる。
【００１８】
第５の発明は、特に、第１〜第４のいずれか１つの発明において、前記活性酸素発生手段で発生した活性酸素を前記洗濯槽内へ導入する導入路と、前記導入路を通して前記洗濯槽内へ送風する送風手段を有し、前記導入路に前記活性酸素発生手段を設けたことにより、導入路を流れる気流によって活性酸素を素早く集中的に洗濯槽内へ送り込むことができ、洗濯槽内に投入された洗濯物の除菌、消臭を短時間で行うことができる。
【００１９】
第６の発明は、特に、第１〜第５のいずれか１つの発明において、前記洗濯槽内へ送風する空気の除湿を行う除湿手段を有し、前記制御手段は、前記除湿手段および前記送風手段を駆動し、前記洗濯槽内の除湿を行った後、活性酸素を前記洗濯槽内へ供給するようにしたことにより、洗濯槽内の湿度および投入された洗濯物が含む水分量を低減することができ、除菌、消臭を効果的に行うことができる。
【００２０】
第７の発明は、特に、第６の発明において、前記洗濯槽内の湿度を検知する湿度検知手段を有し、前記制御手段は、前記湿度検知手段で検知した湿度が所定値以上であるとき、前記除湿手段および前記送風手段を駆動し、前記洗濯槽内の湿度が所定値以下になると、活性酸素を前記洗濯槽内へ供給するようにしたことにより、活性酸素を効率よく発生させて洗濯槽内へ供給することができ、洗濯槽内に投入された洗濯物の除菌、消臭を効果的に行うことができる。
【００２１】
第８の発明は、特に、第１〜第７のいずれか１つの発明において、前記衣類検知手段は、前記水槽の振動を検知する振動検知手段で構成し、前記制御手段は、前記洗濯槽を回転させたときの振動量から洗濯物の有無を検知するようにしたことにより、洗濯槽内の洗濯物の有無を精度よく的確に検知することができる。
【００２２】
第９の発明は、特に、第１〜第８のいずれか１つの発明において、運転の停止中に、前記制御手段を駆動する蓄電部を有し、前記蓄電部は、活性酸素を前記洗濯槽内へ供給するための電源とし、洗濯の開始操作が行われると商用電源に切り換わるようにしたことにより、不使用時に電源プラグがコンセントから外されている場合でも、運転の停止中に洗濯槽内に投入された洗濯物の除菌、消臭を行うことができるとともに、洗濯時に電源プラグがコンセントに差し込まれると、商用電源によって洗濯運転を行うことができる。
【００２３】
第１０の発明は、特に、第９の発明において、前記制御手段は、商用電源による運転中に前記蓄電部に蓄電するようにしたことにより、運転の停止中に使用される必要量の電気エネルギーを常時蓄電しておくことができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における洗濯機の概略構成図、図２は、同洗濯機の活性酸素発生手段およびオゾン分解手段の概略構成図、図３は、同洗濯機のブロック構成図、図４は、同洗濯機のラジカル成分量とオゾン成分量の関係を示したグラフ、図５は、同洗濯機の洗濯物の保管時の動作を示したタイムチャート、図６は、同洗濯機の活性酸素を供給するまでの動作を示したフローチャートである。
【００２６】
図１〜図６において、筐体１内に弾性的に吊り下げ支持した有底筒状の水槽２が設けられている。水槽２内には有底円筒状の洗濯槽３が回転可能に設けられている。洗濯槽３の周側面には水槽２内と連通する多数の小孔４が設けられ、筐体１の上部には衣類等の洗濯物（以下、洗濯物という）を出し入れする際に開閉する扉５が設けられている。
【００２７】
洗濯槽３内の底部には、洗濯槽３に投入された洗濯物ａを撹拌するパルセータ６が設けられている。洗濯槽３およびパルセータ６は、水槽２の外底部に取り付けられたモータ７によって回転駆動する。モータ７はブラシレス直流モータで構成され、インバータ制御によって回転速度が自在に変化させることができるようになっている。
【００２８】
洗濯槽３内に洗濯水を給水する給水弁８は、水道等に接続した給水配管９に設けられ、給水時は、給水弁８を開状態とすることで注水口１０から洗濯槽３内に給水される。水槽２内の洗濯水を機外へ排水する排水弁１１は、水槽２の底部に連結し水槽２内と連通した排水配管１２に設けられ、排水時は、排水弁１１を開状態とすることで排水される。扉５の下方近傍に扉開閉検知手段１３を設け、扉５の開閉を検知するようにしている。
【００２９】
筐体１内の上方前部に設けた制御手段１４は、モータ７、給水弁８、排水弁１１等を駆動し、洗い、すすぎ、脱水等の各工程を逐次制御する。制御手段１４には、扉５の開閉を検知する扉開閉検知手段１３の出力と、洗濯槽３内の洗濯物の有無を検知する衣類検知手段１５の出力と、洗濯槽３内に投入された洗濯物ａの量を検知する布量検知手段１５ａの出力と、水槽２内に給水された洗濯水の量を検知する水位検知手段１６の出力と、モータ７の回転数やトルクを検知する回転検知手段１７の出力等が入力される。
【００３０】
衣類検知手段１５は、洗濯槽３内の底部に設けたパルセータ６をモータ７によって正逆回転駆動し、パルセータ６の回転時にモータ７にかかるトルク量や、モータ７の電流値等から、洗濯槽３内の洗濯物の有無を検知する。また、同様にして洗濯槽３内に投入された洗濯物ａの量を布量検知手段１５ａにより検知する。なお、洗濯物ａの有無および量は、一つの検知手段で行ってもよい。
【００３１】
開閉自在な扉５を開くことにより、解放されている洗濯槽３の上方から洗濯物ａを出し入れすることができる。扉５の下面側、すなわち、扉５を閉じたときに洗濯槽３の開口部３ａと対向する内面側に活性酸素発生手段１８と、オゾン分解手段１９を設けている。
【００３２】
活性酸素発生手段１８は静電霧化手段で構成している。ペルチェ素子で構成した冷却モジュール２０と、冷却モジュール２０の冷却面２０ａと接触するように突設したピン状の第１の放電電極２１と、冷却モジュール２０の加熱面２０ｂと接触するように設けた放熱フィン２２と、第１の放電電極２１と対向する第１の対向電極２３を備えている。
【００３３】
第１の対向電極２３は、球面状に窪んだ湾曲部２３ａと、湾曲部２３ａの第１の放電電極２１の直下に形成した筒状部２３ｂを有し、筒状部２３ｂの内側に活性酸素送風路２４を形成している。第１の放電電極２１と第１の対向電極２３間に直流電圧（例えば、１４Ｖ）を印加する第１の電源２５を接続している。
【００３４】
オゾン分解手段１９は、活性酸素発生手段１８の下方、すなわち、活性酸素送風路２４の下流側に対向するように形成し、セラミックス等の電気絶縁体で構成した支持部２６によって活性酸素発生手段１８と結合し、一体的に構成している。
【００３５】
オゾン分解手段１９は放電手段で構成している。第２の放電電極２７と、第２の放電電極２７と対向する第２の対向電極２８を有し、第２の放電電極２７と第２の対向電極２８間に活性酸素放出部２９を設けている。活性酸素送風路２４と活性酸素放出部２９との間に実行空間３０が形成されている。第２の放電電極２７と第２の対向電極２８間に直流電圧（例えば、１４Ｖ）を印加する第２の電源３１を接続している。
【００３６】
ここで、静電霧化手段による活性酸素の発生過程を以下に示す。冷却モジュール２０に通電することによって、第１の放電電極２１と接する冷却モジュール２０の冷却面２０ａの温度を低下させ、放熱フィン２２と接する冷却モジュール２０の加熱面２０ｂの温度を上昇させる。
【００３７】
加熱された冷却モジュール２０の加熱面２０ｂは、放熱フィン２２と接していることにより冷却面２０ａ側への熱移動を抑え、温度差を維持した状態とすることができる。冷却モジュール２０は、ペルチェ素子を用いることによって温度制御が容易に設定でき、小型の装置とすることができる。
【００３８】
図２の矢印Ａに示すように、活性酸素発生手段１８周辺の空気を取り込みながら、冷却モジュール２０の冷却面２０ａで冷却された第１の放電電極２１の表面において、空気中に存在する水蒸気を結露させる。
【００３９】
第１の放電電極２１の表面に水蒸気を結露させた後、第１の電源２５によって第１の放電電極２１と第１の対向電極２３間に直流電圧（例えば、１４Ｖ）を印加し、第１の放電電極２１と第１の対向電極２３間で放電を行う。この放電現象によって第１の放電電極２１上で結露した水分子が分裂を起こして霧化となると同時に、空気中の酸素も活性酸素と変換される。
【００４０】
発生した活性酸素は活性酸素送風路２４を通過した後、オゾン分解手段１９の実行空間３０へと入り、この実行空間３０の出口である活性酸素放出部２９を形成する第２の放電電極２７と第２の対向電極２８間に第２の電源３１によって直流電圧（例えば、１４Ｖ）を印加し、第２の放電電極２７と第２の対向電極２８間で放電させることにより、活性酸素中のオゾンを酸素分子へと変換させ、オゾンを低減させることができる。
【００４１】
オゾンを分解させる放電は、アーク放電やコロナ放電、グロー放電等を利用することができるが、アーク放電より放電時の騒音が小さく、また、コロナ放電よりもオゾンの低減効果に優れているグロー放電が好ましい。
【００４２】
オゾンの分解反応を化１、化２に示す。化１は、オゾン分子がグロー放電によって生成された電子を受け取ることによって酸素分子と酸素ラジカル成分となることを示し、化２は、酸素ラジカル成分がさらに別のオゾン分子と反応することによって２分子の酸素となる反応が略同時に発生することを示している。
【００４３】
【化１】
2016137034.tif 000003
【００４４】
【化２】
2016137034.tif 000004
【００４５】
図４は、活性酸素発生手段１８の第１の放電電極２１と第１の対向電極２３間に印加する電流値を変化させた際の活性酸素発生量と、オゾン分解手段１９を用いた際のラジカル成分量とオゾン成分量の関係を示したものである。オゾンの使用に当たっては人体に安全な量の規制があり、使用可能な最大安全量を一点鎖線で示している。
【００４６】
印可する電流値μＡがＩａのとき、ラジカル成分量（実線）は「イ」である。そして、活性酸素中のオゾン量（破線）は「ロ」であり、最大安全量以下である。
【００４７】
ラジカル成分量を増やして除菌効果を高めるために、電流値μＡをＩｂまで増やすと、ラジカル成分量は「イ」から「ハ」に増加する。このとき、オゾン量も「ロ」から「ニ」に増加し、安全量を超えるが、オゾン分解手段１９によって、最大安全量以下の「ホ」に抑えることができ、オゾン量を増やすことなく、ラジカル量を増やして安全に除菌効果を高めることができる。
【００４８】
また、ＯＨラジカルのような活性酸素種においては、除菌効果や有機物に対する酸化分解性という視点では高いものの、前記形態としての寿命が短いために、ＯＨラジカルとして反応させるためには、そのターゲットとなる生息菌や有機物に対して多量に連続して暴露させ続ける必要がある。
【００４９】
例えば、脱水後の洗濯物ａのように、水分を含んでいる場合は、洗濯物ａが保持している水分層内において、活性酸素発生手段１８によって発生した活性酸素成分が、例えば、化３のように活性酸素同士、または、化４のように活性酸素成分と水分子との間で反応してできた過酸化水素成分が増加することで、過酸化水素成分による除菌を行うことが可能となる。
【００５０】
【化３】
2016137034.tif 000005
【００５１】
【化４】
2016137034.tif 000006
【００５２】
なお、活性酸素発生手段１８とオゾン分解手段１９は一体に設ける必要はなく、別々に設けてもよい。要は、活性酸素発生手段１８から流出した活性酸素を含む気流に対して、オゾン分解手段１９を作用させることができる構成であればよい。
【００５３】
また、活性酸素とは、高い反応活性を示す酸素由来の狭義および広義の化学物質の総称であり、スーパーオキシドアニオンラジカル、過酸化水素、ヒドロキシラジカル、一重項酸素、オゾン、一酸化窒素、二酸化窒素等が挙げられる。
【００５４】
以上のように構成された洗濯機について、以下その動作、作用を説明する。図５および図６において、まず、洗濯機の運転停止時（Ｓ０）に、筐体１の上面に開閉自在に設けた扉５が開かれると扉開閉検知手段１３によって扉５が開状態であることが検知される。扉５が閉じられ、扉開閉検知手段１３によって扉５が閉状態であることが検知されると（Ｓ１）、タイマ手段１４ａによって計時が開始される。
【００５５】
扉５の開閉を検知してから所定時間Ｔ１が経過するまでの間、扉５の開閉がなく、洗濯運転を開始するための手動操作、例えば、筐体１の上面前部に設けた操作表示部３２の開始スイッチ（図示せず）が押されない場合（Ｓ２）は、衣類検知手段１５によって洗濯槽３内の洗濯物ａの有無を検知する（Ｓ３）。
【００５６】
ここで、所定時間Ｔ１が経過するまでの間に扉５の開閉が行われた場合は、タイマ手段１４ａが一旦リセットされた後、扉５が閉じられた時点から再び計時を開始する。また、タイマ手段１４ａによって所定時間Ｔ１を計時する前に洗濯の開始操作が行われると、設定された洗濯運転を実行するようにしている。
【００５７】
また、扉５の開閉が検知され、タイマ手段１４ａによる計時が開始され、衣類検知が実行されるまでの所定時間Ｔ１は、洗濯物ａを投入して洗濯を行うケースとの区別ができればよく、例えば１０分程度が望ましい。衣類検知手段１５によって洗濯槽３内に洗濯物ａがある判断された場合は、活性酸素発生手段１８を駆動して活性酸素を発生させ、洗濯槽３内へ供給する（Ｓ４）。
【００５８】
活性酸素発生手段１８の駆動時にオゾン分解手段１９を駆動させることで、活性酸素の発生量の増加に伴う活性酸素中のオゾンを低減させ、安全に洗濯槽３内の洗濯物ａに対する除菌、消臭効果を発現することが可能となる。
【００５９】
洗濯槽３内への活性酸素の供給は、活性酸素濃度検知手段（図示せず）により直接活性酸素の濃度を検知しながら活性酸素発生手段１８のＯＮ／ＯＦＦを行い、所定の濃度を維持するように間欠的に供給する。この場合の活性酸素の濃度は、１ｐｐｍ以上であることが望ましい。
【００６０】
なお、活性酸素の供給は、連続もしくは間欠的に洗濯槽３内へ供給するようにしてもよく、活性酸素発生手段１８における活性酸素発生量の経験値、または、実験値から、例えばＯＮ時間をＴ２、ＯＦＦ時間をＴ３といったように、時間によって活性酸素発生手段１８のＯＮ／ＯＦＦを繰り返すようにしてもよい。
【００６１】
なお、洗濯運転は、一般的なコースである洗い工程、すすぎ工程、脱水工程の順に逐次実行され、詳細な説明は省略する。
【００６２】
以上のように、本実施の形態においては、水槽２内に回転可能に設けられた洗濯槽３と、洗濯槽３を回転駆動するモータ７と、ラジカルやオゾン等の活性酸素を発生させる活性酸素発生手段１８と、洗濯槽３内に洗濯物を出し入れする開閉自在な扉５と、扉５の開閉を検知する扉開閉検知手段１３と、洗濯槽３内の洗濯物の有無を検知する衣類検知手段１５と、洗い、すすぎ、脱水等の各工程を制御する制御手段１４とを備え、制御手段１４は、運転の停止時に、扉開閉検知手段１３の出力に基づいて衣類検知手段１５により洗濯物の有無を検知し、洗濯槽３内に洗濯物が投入されていることを検知すると、洗濯の開始操作が行われるまでの間に活性酸素発生手段１８で発生した活性酸素を洗濯槽３内へ供給するようにしたものであり、運転を停止している不作動状態の洗濯機に洗濯物を都度投入し、洗濯槽３を洗濯かご代わりに使用した場合においても、洗濯機の運転操作を行うことなく、洗濯物が投入されていることを検知して溜まった洗濯物の除菌、消臭を簡便に行うことができ、洗濯が行われるまでの不特定な期間に溜まる洗濯物を衛生的に保管することができる。また、洗濯物の追加投入時や、洗濯時に洗剤を投入する時に扉５を開いた際の不快臭を防止することができるとともに、洗濯を行う前に洗濯物の除菌を行うことによって、洗った洗濯物に残る菌を少なくすることができ、洗濯物の部屋干し時や乾燥後の使用時における不快臭を抑制することができる。
【００６３】
また、扉開閉検知手段１３により扉５の開閉を検知すると計時を開始するタイマ手段１４ａを有し、制御手段１４は、タイマ手段１４ａによって所定時間を計時すると、衣類検知手段１５により洗濯物の有無を検知するようにしたものであり、洗濯槽３内に洗濯物が投入されて保管されている状態であることを確認して除菌、消臭を行うことができ、扉５の開閉だけが行われた場合は、除菌、消臭が行われないようにすることができる。また、通常の洗濯は、扉５の開閉動作に続いて洗濯物を投入してから比較的短時間で洗濯の開始操作が行われるため、保管と通常の洗濯とを的確に識別することができる。
【００６４】
また、制御手段１４は、タイマ手段１４ａによって所定時間を計時する前に洗濯の開始操作が行われると、設定された洗濯運転を実行するようにしたものであり、洗濯物を投入してから直ぐに洗濯を行う場合や、予約運転を行うような場合は、除菌、消臭が行われないようにすることができる。
【００６５】
また、制御手段１４は、洗濯槽３内の活性酸素濃度が所定の値を維持するように、活性酸素を洗濯槽３内へ間欠的に供給するようにしたものであり、洗濯槽３内において除菌、消臭効果が発現される所定の状態を維持しながら、洗濯槽３内に投入された洗濯物を効率的に除菌、消臭することができる。
【００６６】
（実施の形態２）
図７は、本発明の第２の実施の形態における洗濯機の概略構成図、図８は、同洗濯機のブロック構成図である。本実施の形態の特徴は、活性酸素発生手段１８で発生した活性酸素を洗濯槽３内へ導入する導入路４１と、導入路４１を通して洗濯槽３内へ送風する送風手段４２を有し、導入路４１に活性酸素発生手段１８を設けたものである。他の構成は実施の形態１と同じであり、同一の構成に同一の符号を付して、詳細な説明は実施の形態１のものを援用する。
【００６７】
図７および図８において、筐体１内に弾性支持した水槽２が設けられている。水槽２内に有底円筒状の洗濯槽としてのドラム３が回転可能に設けられ、ドラム（洗濯槽）３の回転軸は、角度θ（例えば、５〜２０度）で前上がりに傾斜している。
【００６８】
ドラム３の周側面には、回転軸方向であるドラム３の回転中心に向かって内方へ突出させた複数のバッフル４３と、水槽２内と連通する多数の小孔４が設けられ、前面側には洗濯物ａを出し入れする開口部４４が設けられている。
【００６９】
水槽２の後面に吸い込み口４５を形成し、水槽２の前面上部に吹き出し口４６を設けている。吸い込み口４５と吹き出し口４６に導入路としての循環風路４１の両端を連通接続し、水槽２の上方部に前後方向に配設している。
【００７０】
循環風路（導入路）４１には、電動ファンで構成した送風手段４２と、活性酸素を発生させる活性酸素発生手段１８と、活性酸素発生手段１８の下流側にオゾン分解手段１９が設けられている。送風手段４２により循環風路４１に送風することによって、ドラム３内の空気を吸い込み口４５から取り込み、吹き出し口４６から再びドラム３内に吹き出す。
【００７１】
活性酸素発生手段１８で発生した活性酸素は、オゾン分解手段１９によってオゾンを分解、減少させた後、循環風路４１を流れる循環風にのせて吹き出し口４６からドラム３内に送風される。
【００７２】
筐体１内の底部に蓄電部４７を設けている。蓄電部４７は、洗濯機の運転停止時に電源プラグがコンセントから外されている場合等、商用電源が使用できない際の電源として作用し、活性酸素発生手段１８、オゾン分解手段１９、送風手段４２等を駆動し、運転の停止中に、制御手段１４を駆動し活性酸素をドラム３内へ供給する。
【００７３】
蓄電部４７は、洗濯の開始操作が行われると商用電源に切り換わり、商用電源による運転中に蓄電される。
【００７４】
なお、給水配管９に洗剤ケース４８、水槽２の底部に設けた排水口４９と連通する排水配管１２に排水フィルター５０が設けられている。
【００７５】
本実施の形態における洗い工程は、実施の形態１とは異なり、モータ７によってドラム３内の洗濯物ａが叩き洗いされる回転数（例えば、４５ｒｐｍ）で、所定時間毎に交互に正逆回転駆動する。
【００７６】
叩き洗いは、洗濯物ａがバッフル４３によってドラム３の回転方向へ持ち上げられた後、ドラム３内の上部から落下し、ドラム３の底面あるいはドラム３の底部に留まっている洗濯物ａに叩きつけられることにより、洗剤の化学力と併せて、その機械力によって洗浄が行われる。
【００７７】
本実施の形態における衣類検知手段１５は、ドラム３の回転によって上方へ持ち上げられた洗濯物ａが落下した際の水槽２の振動を振動検知手段で検知する。また、ドラム３の回転時にモータ７にかかるトルク量や、モータ７の電流値等から、ドラム３内に投入された洗濯物ａの量を布量検知手段１５ａによって検知する。なお、洗濯物ａの有無および量は、一つの検知手段で行ってもよく、いずれの手段であってもよい。
【００７８】
本実施の形態におけるドラム３内に投入された洗濯物ａの除菌、消臭を行う際の動作は実施の形態１と同様である。洗濯機の運転停止時に扉開閉検知手段１３によって扉５の開閉を検知した後、所定時間Ｔ１経過後に衣類検知手段１５によって洗濯物ａがドラム３内に存在していると確認された場合に、活性酸素発生手段１８、オゾン分解手段１９および送風手段４２を駆動させ、ドラム３内へ活性酸素を供給することによりドラム３内の洗濯物ａの除菌、消臭を行うことができる。
【００７９】
洗濯物ａの除菌、消臭は、活性酸素発生手段１８によって活性酸素を発生させた後、オゾン分解手段１９によってオゾン量を減少させた後、吹き出し口４６からドラム３内に活性酸素を含んだ気流を吹き出すことで、ドラム３内のオゾン濃度が低く、除菌、消臭終了時、もしくは、除菌、消臭中に扉５が開放された場合でも、安全に洗濯物ａに対する除菌、消臭効果が発現される。
【００８０】
以上のように、本実施の形態においては、活性酸素発生手段１８で発生した活性酸素を洗濯槽３内へ導入する導入路４１と、導入路４１を通して洗濯槽３内へ送風する送風手段４２を有し、導入路４１に活性酸素発生手段１８を設けたものであり、導入路４１を流れる気流によって活性酸素を素早く集中的に洗濯槽３内に送り込むことができ、洗濯槽３内に投入された洗濯物ａの除菌、消臭効果をより短時間で発現させることができる。
【００８１】
なお、導入路４１内にオゾン分解手段１９を設けることによって、送風気体とともに限られた体積内に存在する活性酸素中に含まれるオゾンを集中的に分解、減少させることができ、オゾン量の分解を容易に行うことができる。なお、活性酸素発生手段１８によって発生する活性酸素中のオゾン量が低い場合、例えば０．１ｐｐｍ以下のときには、オゾン分解手段１９を駆動させることなく行うことも可能である。
【００８２】
また、衣類検知手段１５は、水槽２の振動を検知する振動検知手段で構成し、制御手段１４は、洗濯槽３を回転させたときの振動量から洗濯物の有無を検知するようにしたものであり、洗濯槽３内の洗濯物ａの有無を精度よく的確に検知することができる。
【００８３】
また、運転の停止中に、制御手段１４を駆動する蓄電部４７を有し、蓄電部４７は、活性酸素を洗濯槽３内へ供給するための電源とし、洗濯の開始操作が行われると商用電源に切り換わるようにしたものであり、洗濯機の不使用時に電源プラグがコンセントから外されている場合でも、運転の停止中に洗濯槽３内に投入された洗濯物ａの除菌、消臭を行うことができるとともに、洗濯時に電源プラグがコンセントに差し込まれると、商用電源によって洗濯運転を行うことができる。
【００８４】
また、制御手段１４は、商用電源による運転中に蓄電部４７に蓄電するようにしたものであり、運転の停止中に使用される必要量の電気エネルギーを常時蓄電しておくことができる。
【００８５】
（実施の形態３）
図９は、本発明の第３の実施の形態における洗濯機のシステム構成図、図１０は、同洗濯機のブロック構成図、図１１は、同洗濯機の洗濯物の保管時の動作を示したタイムチャートである。本実施の形態の特徴は、導入路４１に形成した分岐路５１に除湿手段５２を設け、導入路４１と分岐路５１を切り替え可能に構成したものである。他の構成は実施の形態１と同じであり、同一の構成に同一の符号を付して、詳細な説明は実施の形態１、２のものを援用する。
【００８６】
図９〜図１１において、本実施の形態は除湿機能を備えた洗濯機であり、水槽２の後面側に吸い込み口４５を形成し、水槽２の前面側に吹き出し口４６を設けている。吸い込み口４５と吹き出し口４６に、導入路としての循環風路４１の両端を連通接続している。
【００８７】
循環風路（導入路）４１には、電動ファンで構成した送風手段４２と、活性酸素を発生させる活性酸素発生手段１８と、活性酸素発生手段１８の下流側にオゾン分解手段１９が設けられている。送風手段４２により循環風路４１に送風することによって、ドラム（洗濯槽）３内の空気を吸い込み口４５から取り込み、吹き出し口４６から再びドラム３内に吹き出す。
【００８８】
活性酸素発生手段１８で発生した活性酸素は、オゾン分解手段１９によってオゾンを分解、減少させた後、循環風路４１を流れる循環風にのせて吹き出し口４６からドラム３内に送風される。循環風路４１に形成した分岐路５１に除湿手段５２を設け、循環風路４１と分岐路５１の分岐部に設けた切替弁５３によって、循環風路４１と分岐路５１を切り替え可能に構成している。
【００８９】
分岐路５１に設けた除湿手段５２は、循環風路４１を流れる循環風から水分を除去するもので、循環風路４１を流れる気体を冷却して水蒸気を凝縮する熱交換器や、水分を吸着するデシカント装置等で構成することができる。また、乾燥機能を具備した洗濯乾燥機でヒートポンプ装置が設けられている場合は、周囲から熱を奪う蒸発器を循環風路４１に設けて構成してもよい。
【００９０】
除菌、消臭時は、切替弁５３を循環風路４１側（切替弁５３をｂの位置）にして送風手段４２により矢印Ｂのように送風し、活性酸素発生手段１８およびオゾン分解手段１９を通過して、吹き出し口４６からドラム３内へ送風される。
【００９１】
除湿時は、切替弁５３を分岐路５１側（切替弁５３をｃの位置）に切り替えて送風手段４２により矢印Ｃのように送風し、除湿手段５２を通過して、吹き出し口４６からドラム３内へ除湿された風が送風される。
【００９２】
活性酸素発生手段１８とオゾン分解手段１９は別々の構成として設けられ、活性酸素発生手段１８によって発生した活性酸素を含んだ多量の送風空気に対して、短時間でオゾン量を減少させることが可能である。
【００９３】
オゾン分解手段１９は、紫外線発生手段で構成されており、照射を行う紫外線は、例えば、２４０ｎｍ以上３４０ｎｍ以下の波長のものが望ましく、以下の化５および化６のように、オゾンの分解が促進され、オゾン分解における途中過程で生成されるＯ・やＯＨ・等のラジカル種によって、有機物の分解や除菌、消臭効果を高めることができる。
【００９４】
【化５】
2016137034.tif 000007
【００９５】
【化６】
2016137034.tif 000008
【００９６】
また、オゾンを分解する場において水分子が存在する場合には、連鎖的に化７および化８のような反応も促進されている。
【００９７】
【化７】
2016137034.tif 000009
【００９８】
【化８】
2016137034.tif 000010
【００９９】
これらの反応によって、活性酸素発生手段１８で発生する活性酸素量を増やす場合においても、活性酸素とともに発生量が増加するオゾン分子を分解して減少させ、安全な環境下で洗濯物ａの衛生管理を行うことが可能となり、ドラム３内に投入されたままの洗濯物ａ上に生息している菌の増殖や不快臭の発生を抑制することが可能となる。
【０１００】
次に、本実施の形態における動作、作用を説明する。図１１において、洗濯機の運転停止時に、扉開閉検知手段１３によって扉５の開閉が検知された後、所定時間Ｔ１経過後に衣類検知手段１５によりドラム３内の洗濯物ａの有無の検知を行う。ドラム３内に洗濯物ａが投入されていると判断された場合には、送風手段４２を駆動させ、ドラム３内の空気を吸い込み口４５より循環風路４１へと導く。
【０１０１】
このとき、切替弁５３をｃ側に位置させ、吸い込み口４５から吸い込まれてくる空気が分岐路５１を流れて除湿手段５２を通過し、矢印Ｃのように流れる。除湿手段５２を通過した乾いた空気は、吹き出し口４６からドラム３内に所定時間Ｔ４、例えば６０分間送風し、ドラム３内の除湿を行う。
【０１０２】
所定時間Ｔ４後、送風手段４２を駆動した状態で切替弁５３をｂ側に位置させ、矢印Ｂのように空気の流れを切り替える。併せて、活性酸素発生手段１８およびオゾン分解手段１９を駆動し、発生させた活性酸素を送風手段４２によって送られてくる空気とともに吹き出し口４６からドラム３内へと送り込む。
【０１０３】
活性酸素発生手段１８およびオゾン分解手段１９により、活性酸素を間欠的に発生させる。活性酸素によるドラム３内の洗濯物ａの除菌、消臭は、所定時間Ｔ２、例えば３０分間継続した後、所定時間Ｔ３、例えば３０分間停止させる。活性酸素発生手段１８の停止時は、オゾン分解手段１９および送風手段４２は停止している。
【０１０４】
洗濯を行うために洗濯開始操作が行われるまで、切替弁５３はｂの位置に保持され、活性酸素発生手段１８、オゾン分解手段１９および送風手段４２のＯＮ／ＯＦＦ動作を所定の間隔で間欠的に繰り返される。
【０１０５】
この間に再び扉５の開閉が行われた際は動作がリセットされ、初期の状態と同様に、扉５が閉められてから所定時間Ｔ１が経過し、衣類検知手段１５によってドラム３内の洗濯物ａの有無が検知され、洗濯物ａが存在していると判断された際には、切替弁５３をｃ側に位置させて上記と同様の除湿運転を所定時間行う。
【０１０６】
除湿運転終了後は、再び切替弁５３をｂ側に位置させて、活性酸素発生手段１８およびオゾン分解手段１９を駆動し、上記と同様の除菌、消臭運転を行う。また、扉５の開閉後に衣類検知手段１５によって洗濯物ａが存在していない、すなわち、ドラム３内から洗濯物ａが取り出されたと判断された際には、その時点において除菌、消臭運転を停止する。
【０１０７】
以上のように、本実施の形態においては、洗濯槽３内へ送風する空気の除湿を行う除湿手段５２を有し、制御手段１４は、除湿手段５２および送風手段４２を駆動し、前記洗濯槽３内の除湿を行った後、活性酸素を洗濯槽３内へ供給するようにしたものであり、洗濯槽３内の湿度および投入された洗濯物ａが含む水分量を低減することができ、除菌、消臭を効果的に行うことができる。また、導入路４１と分岐路５１を切り替え可能に構成することにより、除菌、消臭時と除湿時の送風経路を分けることができ、送風時の圧損を少なくすることができる。
【０１０８】
また、活性酸素発生手段１８およびオゾン分解手段１９を設けた導入路４１と、除湿手段５２を設けた分岐路５１を切り替え可能に分岐することにより、活性酸素発生手段１８で発生した活性酸素が、除湿手段５２への吸着等によって消費されることなく、洗濯槽３内へ循環風に乗せて活性酸素種を送り込むことが可能となり、除菌、消臭効果を高めることができる。
【０１０９】
また、オゾン分解手段１９は、例えば紫外線発生手段で構成したものであり、活性酸素中のオゾン分子と気流中に存在する水分子との間で化学反応が促進されて水酸化ラジカルが発生し、オゾン分子の減少と同時に活性なラジカル種が気流中に発生することでオゾン以外の活性酸素成分が増加し、洗濯槽３内の洗濯物ａに対する除菌、消臭効果を向上させることができる。
【０１１０】
図１２は、本実施の形態の他の例の洗濯物の保管時の動作を示したものである。この例の特徴は、ドラム（洗濯槽）３内の湿度を検知する湿度検知手段５４を設け、湿度が所定値以上であるとき、除湿手段５２および送風手段４２を駆動し、湿度が所定値以下になると、活性酸素を供給するようにしたものである。他の構成は実施の形態３と同じであり、同一の構成に同一の符号を付して、詳細な説明は実施の形態１〜３のものを援用する。
【０１１１】
洗濯機の運転停止時に、扉開閉検知手段１３によって扉５の開閉が検知された後、所定時間Ｔ１経過後に衣類検知手段１５によりドラム３内の洗濯物ａの有無の検知を行う。ドラム３内に洗濯物ａが投入されていると判断された場合には、送風手段４２を駆動させ、ドラム３内の空気を吸い込み口４５より循環風路４１へと導く。
【０１１２】
このとき、切替弁５３をｃ側に位置させ、吸い込み口４５から吸い込まれて分岐路５１を流れてくる空気の除湿が行えるように除湿手段５２をＯＮ状態にしておく。吸い込み口４５から吸い込まれるドラム３内の空気は除湿手段５２を通過して矢印Ｃのように流れ、湿度検知手段５４によって湿度を検知する。
【０１１３】
除湿手段５２は、湿度検知手段５４で検知した湿度が適切な湿度の所定値、例えば湿度８０％ＲＨ以下に低下するとＯＦＦ状態とし、切替弁５３をｂ側に位置させて、活性酸素発生手段１８およびオゾン分解手段１９を駆動し、上記と同様の除菌、消臭運転を行う。
【０１１４】
ここで、ドラム３内および送風経路内の湿度が上記所定値以下である場合は、除湿手段５２をＯＦＦ状態とし、切替弁５３をｂ側に位置させて矢印Ｂのように空気の流れを切り替え、除湿を行うことなく活性酸素発生手段１８とオゾン分解手段１９による除菌、消臭運転が行われる。
【０１１５】
以上のように、上記の構成においては、洗濯槽３内の湿度を検知する湿度検知手段５４を有し、制御手段１４は、湿度検知手段５４で検知した湿度が所定値以上であるとき、除湿手段５２および送風手段４２を駆動し、洗濯槽３内の湿度が所定値以下になると、活性酸素を洗濯槽３内へ供給するようにしたものであり、活性酸素を効率よく発生させて洗濯槽３内へ供給することができ、洗濯槽３内に投入された洗濯物ａの除菌、消臭を効果的に行うことができる。
【０１１６】
なお、湿度検知手段５４は、吸い込み口４５から導入路４１内に導入された空気の湿度を抵抗値の変化によって検知する湿度センサーで構成するほか、ドラム３内の洗濯物ａが接触している部分の導通を検知することによって検知するようにしてもよく、その方法は限定されるものではない。
【０１１７】
また、前記の各実施の形態において、除菌、消臭時に洗濯槽３内の洗濯物ａを撹拌することにより、洗濯槽３内に供給された活性酸素種を満遍なく洗濯物ａに付着させることができ、効率よく除菌、消臭を行うことができる。
【産業上の利用可能性】
【０１１８】
以上のように、本発明にかかる洗濯機は、洗濯が行われるまでの間に洗濯槽内に溜まった洗濯物の除菌、消臭を行うことができ、不快臭の発生を抑制することができるので、洗濯機として有用である。
【符号の説明】
【０１１９】
２    水槽
３    洗濯槽
５    扉
７    モータ
１３    扉開閉検知手段
１４    制御手段
１５    衣類検知手段
１８    活性酸素発生手段
【図１】
2016137034.tif 000011
【図２】
2016137034.tif 000012
【図３】
2016137034.tif 000013
【図４】
2016137034.tif 000014
【図５】
2016137034.tif 000015
【図６】
2016137034.tif 000016
【図７】
2016137034.tif 000017
【図８】
2016137034.tif 000018
【図９】
2016137034.tif 000019
【図１０】
2016137034.tif 000020
【図１１】
2016137034.tif 000021
【図１２】
2016137034.tif 000022